(57)【要約】【課題】磁気センサの誤感知を防止することができるパチンコ遊技機を提供する。【解決手段】リードタイプの磁気センサ６４を備えるパチンコ遊技機１であって、磁気センサ保持部７３の上方における誘導樋９０の両側壁部９４は、遊技球αの誘導方向における下流側へ向かって高さが低くなり、少なくとも当該誘導樋９０を流れる遊技球αの半径高さ位置よりも低い部分を有する切欠部９５が形成され、裏樋８０及び／又は遊技盤２０に、前記切欠部によって低くなった前記両側壁部９４の高さを補助する補助壁１００が設けられる。【選択図】図８
2011083553.tif 000002
【特許請求の範囲】
【請求項１】
遊技球が転動することが可能な遊技領域を有する遊技盤と、
前記遊技盤の遊技領域に前後方向へ開口される開口部を前方から被覆するように、当該遊技盤に取り付けられる取付基板と、
前記取付基板の前面に支持されて、前記遊技球が入賞可能に開口される上入賞口と、
前記上入賞口の下方で前記取付基板の前面に支持されて、左右一対の可動片を左右方向へ回動可能に備えて、前記遊技球が入賞可能な開放状態と入賞不能な閉鎖状態とに変更可能な可変入賞口と、
前記取付基板の後方に配置されて、前記左右一対の可動片を駆動する駆動手段と、
前記取付基板の後方であって前記駆動手段の前方に配置されて、前記左右一対の可動片と前記駆動手段とを作動連結して、当該駆動手段の駆動力によって当該左右一対の可動片を相互に回動させる駆動伝達部と、
前記取付基板の後方であって前記上入賞口よりも下方に配置されるリードタイプの磁気センサと、
前記取付基板の後面に支持されて、前記磁気センサを保持する磁気センサ保持部と、前記駆動手段を支持する駆動手段支持部と、前記駆動伝達部を支持する駆動伝達支持部と、を有する支持部材と、
前記支持部材の上部に形成されて、底部及び当該底部の両側壁部を有し、前記磁気センサ保持部の上方を通過して、前記上入賞口に入賞した前記遊技球を前記支持部材の左右一側方へ向けて誘導する誘導樋と、
前記遊技盤の後面に取り付けられて、前記遊技球が前記誘導樋から流入する裏樋と、
を備えるパチンコ遊技機であって、
前記磁気センサ保持部の上方における前記誘導樋の前記両側壁部は、前記遊技球の誘導方向における下流側へ向かって高さが低くなり、少なくとも当該誘導樋を流れる遊技球の半径高さ位置よりも低い部分を有する切欠部が形成され、
前記裏樋及び／又は前記遊技盤に、前記切欠部によって低くなった前記両側壁部の高さを補助する補助壁が設けられる、
ことを特徴とするパチンコ遊技機。
【発明の詳細な説明】
【技術分野】
【０００１】
本発明は、パチンコ遊技機に関し、特にパチンコ遊技機における磁気センサの誤感知を防止する技術に関する。
【背景技術】
【０００２】
従来、賞球を搾取するために、遊技者が磁石をパチンコ遊技機に対して用いることにより不正行為を行う場合がある。この不正行為を行う場合、遊技者は、遊技球が遊技盤の遊技領域内に発射されて転動している状態で、磁石をパチンコ遊技機のガラス窓に前方から押し付け、その磁石にガラス窓を介して遊技球を吸着させる。そして、遊技者は、磁石をガラス窓の前面に沿って動かし、例えば、磁石に吸着させた遊技球を始動口に入賞させる。その結果、大当たり抽選が開始されて大当たりが選択されると、遊技者は、より多くの賞球を不正に搾取することが可能となっていた。
【０００３】
そこで、このような不正行為を防止するために、パチンコ遊技機に対して磁気センサを用いる技術が、例えば、特許文献１に開示されている。この技術は、磁気センサを可変入賞装置に設けられた可変入賞口（始動口）の近傍に配置して、遊技者が前記可変入賞口（始動口）に磁石を近接させた場合に、前記磁気センサによって磁石の磁気を感知し、不正行為が行われたことを判別する。そして、その判別後に、警報を報知装置から発生させるなどして、その不正行為の防止を図っている。
【０００４】
ここで、前記可変入賞装置は、開閉可能に構成される前記可変入賞口（始動口）と、前記可変入賞口（始動口）を駆動する駆動手段と、前記駆動手段による駆動力を前記可変入賞口（始動口）に伝達する駆動伝達手段と、前記可変入賞口（始動口）の後方で前記駆動手段と前記駆動伝達手段とを支持する支持部と、により構成される。
【０００５】
前記磁気センサは、前記支持部の右側面に設けられた磁気センサ保持部により保持される。磁気センサとしては、例えばリードスイッチが用いられる。前記リードスイッチは、接触可能に離間している一対の磁性体リード片を備え、前記一対の磁性体リード片が磁気により磁化されると相互に接触して磁気を感知するように構成される。
【０００６】
しかしながら、特許文献１に開示されている技術においては、前記磁気センサは、前記支持部の右側面、即ち、前記可変入賞口（始動口）の右側方のみに設けられているため、磁石が前記可変入賞口（始動口）の左側方から近接した場合にあっては、前記磁気センサの感知範囲に入らず、前記磁気センサが前記磁石の磁気を感知しない問題があった。
【０００７】
また、磁石の磁気を感知するために、複数個の磁気センサをパチンコ遊技機に対して用いる技術が、例えば、特許文献２に開示されている。この特許文献２に開示されている技術を、特許文献１に開示されている技術に適用することによって、前記支持部の右側面のみならず、前記支持部の左側面、即ち、前記可変入賞口（始動口）の左側方に前記磁気センサ保持部を設けて前記磁気センサを保持することが可能となる。その結果、磁石が前記可変入賞口（始動口）の左側方から近接した場合であっても、前記磁石の磁気を感知することが可能となり、前記問題を解消することが可能となっている。
【先行技術文献】
【特許文献】
【０００８】
【特許文献１】特開２００８−２２０８７５号公報
【特許文献２】特開２００５−１３７８７７号公報
【発明の概要】
【発明が解決しようとする課題】
【０００９】
前述のような技術、即ち、前記支持部の左右両側面に前記磁気センサ保持部を設けて、前記磁気センサを保持した可変入賞装置を有するパチンコ遊技機において、始動口が可変入賞口の上方に別途設けられる場合がある。
この場合、前記始動口に入賞した遊技球を裏樋に誘導する誘導樋が、前記支持部の上部に設けられている。この誘導樋は、平面視で略Ｌ字状に形成されて、前記始動口から後方へ向けて延出し、その延出端部から左右一側方へ向けて延出するように構成されている。
このような構成は、パチンコ遊技機において（前記支持部の後方を含めた）遊技盤の後面側には、数多くの部材が配置されているため、前記始動口に入賞した遊技球を前記支持部の後方に誘導することができないことから採用されたものである。即ち、前記誘導樋は、前記支持部の左右一側方へ向けて延出されるように配置する必要があり、その結果、当該誘導樋は、前記磁気センサ保持部の上方を通過するように構成されている。
【００１０】
そのため、遊技球が前記始動口から前記裏樋に向かって前記誘導樋を流れるとき、遊技球が前記誘導樋の壁部分に衝突して振動が発生すると、前記支持部及び前記磁気センサ保持部を介して前記磁気センサに、その振動が伝達される。
その結果、前記磁気センサに伝達された振動により前記磁気センサ（リードスイッチ）の前記一対の磁性体リード片が相互に接触して、前記磁気センサが磁気を感知したと誤感知する場合があった。
【００１１】
なお、前記誘導樋は、前述したように平面視で略Ｌ字状に形成されているので、当該誘導樋を流れる遊技球は、その流れる方向を平面視で略直角方向に変える必要がある。したがって、遊技球は、その流れる方向を変える際に前記誘導樋の壁部分に衝突することとなり、その衝突によって振動が発生し易い構成となっていた。
【課題を解決するための手段】
【００１２】
本発明は、上記のような問題点に鑑みてなされるものであり、その解決しようとする課題は、磁気センサの誤感知を防止することができるパチンコ遊技機を提供するものである。
【００１３】
即ち、請求項１においては、遊技球が転動することが可能な遊技領域を有する遊技盤と、前記遊技盤の遊技領域に前後方向へ開口される開口部を前方から被覆するように、当該遊技盤に取り付けられる取付基板と、前記取付基板の前面に支持されて、前記遊技球が入賞可能に開口される上入賞口と、前記上入賞口の下方で前記取付基板の前面に支持されて、左右一対の可動片を左右方向へ回動可能に備えて、前記遊技球が入賞可能な開放状態と入賞不能な閉鎖状態とに変更可能な可変入賞口と、前記取付基板の後方に配置されて、前記左右一対の可動片を駆動する駆動手段と、前記取付基板の後方であって前記駆動手段の前方に配置されて、前記左右一対の可動片と前記駆動手段とを作動連結して、当該駆動手段の駆動力によって当該左右一対の可動片を相互に回動させる駆動伝達部と、前記取付基板の後方であって前記上入賞口よりも下方に配置されるリードタイプの磁気センサと、前記取付基板の後面に支持されて、前記磁気センサを保持する磁気センサ保持部と、前記駆動手段を支持する駆動手段支持部と、前記駆動伝達部を支持する駆動伝達支持部と、を有する支持部材と、前記支持部材の上部に形成されて、底部及び当該底部の両側壁部を有し、前記磁気センサ保持部の上方を通過して、前記上入賞口に入賞した前記遊技球を前記支持部材の左右一側方へ向けて誘導する誘導樋と、前記遊技盤の後面に取り付けられて、前記遊技球が前記誘導樋から流入する裏樋と、を備えるパチンコ遊技機であって、前記磁気センサ保持部の上方における前記誘導樋の前記両側壁部は、前記遊技球の誘導方向における下流側へ向かって高さが低くなり、少なくとも当該誘導樋を流れる遊技球の半径高さ位置よりも低い部分を有する切欠部が形成され、前記裏樋及び／又は前記遊技盤に、前記切欠部によって低くなった前記両側壁部の高さを補助する補助壁が設けられるものである。
【発明の効果】
【００１４】
本発明の効果として、以下に示すような効果を奏する。
【００１５】
請求項１においては、遊技球と補助壁とが衝突することによって発生した振動は、補助壁が設けられた裏樋及び／又は遊技盤に伝達される。つまり、その振動は、支持部材及び磁気センサ保持部には伝達され難くなり、ひいては磁気センサにも伝達され難い。したがって、遊技球が両側壁部に衝突した際に発生する振動による磁気センサの誤感知を防止することができる。
【図面の簡単な説明】
【００１６】
【図１】本発明の一実施形態に係るパチンコ遊技機の全体的な構成を示した正面図。
【図２】同じく、遊技盤の構成を示した正面図。
【図３】同じく、可変入賞装置の構成を示した斜視図。
【図４】（ａ）同じく、可変入賞口の閉鎖状態における可変入賞装置の駆動構成を示した斜視図。（ｂ）同じく、可変入賞口の開放状態における可変入賞装置の駆動構成を示した斜視図。
【図５】（ａ）同じく、可変入賞装置の構成を示した平面図。（ｂ）同じく、可変入賞装置の構成を示した側面図。
【図６】（ａ）同じく、可変入賞装置の構成を示した背面図。（ｂ）同じく、図５（ｂ）のＡ−Ａ矢視断面図。
【図７】同じく、可変入賞装置及び裏樋の上入賞樋の配置構成を示した平面図。
【図８】同じく、図５（ｂ）のＡ−Ａ矢視断面図及び裏樋の配置構成を示した正面図。
【図９】（ａ）同じく、通常時の磁気センサの状態を示した図。（ｂ）同じく、磁気感知時の磁気センサの状態を示した図。
【図１０】同じく、遊技盤及び裏樋の配置構成を示した背面図。
【図１１】同じく、裏樋の構成を示した正面図。
【図１２】（ａ）同じく、誘導樋を流れる遊技球の構成を示した側面図。（ｂ）同じく、図１２（ａ）のＢ−Ｂ矢視端面図。（ｃ）同じく、図１２（ａ）のＣ−Ｃ矢視端面図。
【発明を実施するための形態】
【００１７】
本発明の一実施形態に係るパチンコ遊技機１の全体構成について、図１及び図２を用いて説明する。
なお、以下の説明において、パチンコ遊技機１を遊技中の遊技者から見て、手前側をパチンコ遊技機１の前側とし、奥側をパチンコ遊技機１の後側として、パチンコ遊技機１の前後方向を規定する。また、パチンコ遊技機１を遊技中の遊技者から見て、左手をパチンコ遊技機１の左側とし、右手をパチンコ遊技機１の右側として、パチンコ遊技機１の左右方向を規定する。
【００１８】
パチンコ遊技機１は、外枠２と、中枠３と、窓枠４と、遊技盤２０とを備える。
【００１９】
外枠２は、前後面が開口される四角筒状の枠体である。外枠２は、パチンコホール等の遊技場に設けられる台島に設置される。
【００２０】
中枠３は、略四角形状の枠体である。中枠３は、外枠２の前側開口部の縁部に沿って配置される。中枠３は、外枠２の前端面の一側にヒンジ等の軸支部材を介して回動可能に支持され、外枠２に対して開閉可能とされる。
中枠３の後端面には、遊技領域２９を有する遊技盤２０が着脱可能に装着される。また、中枠３の前端面下部には、下皿ユニット６が固設される。
【００２１】
下皿ユニット６は、下皿１０と、ハンドル台１１とを備える。下皿１０は、上面が開口するように、下皿ユニット６の略左右中央に配置される。下皿１０は、遊技球を貯溜する部材である。ハンドル台１１は、下皿１０の右側方に配置される。ハンドル台１１には、発射ハンドル１２が回動可能に装着される。そして、発射ハンドル１２は、図示せぬ遊技球発射装置に連結され、当該発射ハンドル１２が回動操作されることによって、遊技球を遊技盤２０の遊技領域２９へ向けて発射可能に構成される。
【００２２】
窓枠４は、長手方向を上下方向とした略矩形板状の部材である。窓枠４は、中枠３の開口部を前方から覆うように配置される。窓枠４は、中枠３の前端面の一側にヒンジ等の軸支部材を介して回動可能に支持され、中枠３に対して開閉可能とされる。
窓枠４の略中央には、窓部７としての正面視で略円形状の開口部が前後方向に形成される。窓部７は、ガラス窓８で覆われる。窓部７は、窓枠４が中枠３に対して閉じた状態で、遊技盤２０の遊技領域２９がガラス窓８を介して前方に臨むように（遊技者が遊技領域２９を視認可能となるように）構成される。
窓枠４の前面下部には、上皿１３が固設される。上皿１３は、遊技球を貯溜する部材である。上皿１３から溢れた遊技球は、前記下皿１０に流入する。上皿１３は、上面が開口するように、窓枠４の略左右中央であって、窓部７の下方に配置される。
窓枠４の前面上部には、スピーカ９が配設される。スピーカ９は、窓枠４の左右両端側であって、窓部７の左上方及び右上方に配置される。
【００２３】
次に、前記遊技盤２０の構成について、図２を用いて詳細に説明する。
【００２４】
遊技盤２０は、遊技球が転動可能な遊技領域２９が形成される部材である。遊技盤２０は、中枠３内に収容される。
遊技盤２０は、基体２１と、ガイドレール２２と、図柄表示手段２３と、一般入賞口２４と、大入賞装置２５と、可変入賞装置４０と、アウト口２６とを備える。
【００２５】
基体２１は、遊技盤２０の各構成部材を固定するための板状の部材である。基体２１には、後述の可変入賞装置４０を装着する可変入賞装置取付口２８等の種々の開口部が、前後方向に形成される。
【００２６】
ガイドレール２２は、外ガイドレール２２ａと、内ガイドレール２２ｂとを備える。
外ガイドレール２２ａ及び内ガイドレール２２ｂは、金属製の帯状の部材であり、正面視で略円弧状に形成される。外ガイドレール２２ａ及び内ガイドレール２２ｂは、短手方向を前後方向として基体２１の前面に、前方へ向けて立ち上がるように取り付けられる。
外ガイドレール２２ａは、基体２１の左側及び上側の外周を周回するように配置される。内ガイドレール２２ｂは、外ガイドレール２２ａよりも基体２１の内側に位置して、基体２１の左側及び下側の外周を周回するように配置される。
そして、外ガイドレール２２ａ及び内ガイドレール２２ｂにより基体２１の前面に略円形状に区画形成される領域が、遊技領域２９と規定される。また、基体２１の左側に、外ガイドレール２２ａと内ガイドレール２２ｂとの間に円弧状の発射通路３０が区画形成される。前記遊技球発射装置によって発射された遊技球が、この発射通路３０を通過して遊技領域２９へ放出される。
【００２７】
図柄表示手段２３は、パチンコ遊技機１における遊技の演出上の図柄や数字を変動表示する液晶画面を備える装置である。図柄表示手段２３は、前記液晶画面を前方へ向けて、基体２１に取り付けられる。前記液晶画面は、平面視で略矩形に形成されて、前後方向へ向けて開口される図柄表示開口部３１を介して前方に臨むように（遊技者が前記液晶画面を視認可能となるように）、基体２１の略中央に配置される。
【００２８】
一般入賞口２４は、遊技球が入賞すると、図示せぬ賞球払出装置によって所定数の賞球を払い出させる部材である。一般入賞口２４は、上面が開口するポケット状に形成されて、基体２１の遊技領域２９の下部に複数個（本実施形態においては３個）配置される。一般入賞口２４の後端部は、基体２１を前後方向へ開口して形成される図示せぬ入賞口樋の前端側と接続される。前記入賞口樋の後端側は、遊技盤２０の後面に取り付けられた裏樋８０と接続される。これによって、一般入賞口２４は、裏樋８０と前記入賞口樋を介して連通される。
【００２９】
大入賞装置２５は、大当たり抽選により大当たりが選択されると大入賞口３４を開放して、遊技球を入賞可能とし、遊技球が入賞すると、前記賞球払出装置によって所定数の賞球を払い出させる装置である。大入賞装置２５は、大入賞口３４や、図示せぬ駆動手段及び駆動伝達部等を備える。大入賞装置２５は、基体２１の遊技領域２９の中央下部に配置されて、大入賞口３４が開閉可能となるように構成される。
【００３０】
アウト口２６は、発射通路３０を通過して遊技領域２９内へ放出された遊技球が、一般入賞口２４や大入賞口３４等の各入賞口に入賞しなかった場合に、最終的に流入する開口部である。アウト口２６は、基体２１の遊技領域２９の最下端に前後方向へ開口される。アウト口２６に流入した遊技球は、パチンコホール等の遊技場側に回収される。
【００３１】
次に、可変入賞装置４０の構成について、図２から図９を用いて詳細に説明する。
【００３２】
可変入賞装置４０は、取付基板４１と、上入賞口４４と、可変入賞口４５と、駆動手段５０と、駆動伝達部５４と、磁気センサ６４と、支持部材６８と、誘導樋９０とを備える装置である。
【００３３】
取付基板４１は、図２に示すように、正面視で左右方向に長い略菱形板状の部材である。取付基板４１は、その前方及び後方に、可変入賞装置４０を構成する各部材を取り付ける。取付基板４１は、正面視で当該取付基板４１と略同一形状であって若干小さく開口された遊技盤２０の可変入賞装置取付口２８を前方から被覆するように、当該遊技盤２０の前面に取り付けられる。
取付基板４１は、図３に示すように、上入賞切欠部４２と可変入賞切欠部４３とを備える。上入賞切欠部４２は、取付基板４１の上端部を上方向へ開放するように正面視で略Ｕ字状に切り欠くことにより形成される。上入賞切欠部４２には、上入賞口４４が取り付けられる。可変入賞切欠部４３は、取付基板４１の略中央に正面視で略矩形状に形成され、前後方向へ開口される。可変入賞切欠部４３には、可変入賞口４５が取り付けられる。
【００３４】
なお、本実施形態において、取付基板４１は、アクリル板等の光を透過させることができる透光性部材により形成される。そして、取付基板４１は、遮光性塗料及び透光性塗料の２種類の塗料により塗装される。具体的には、例えば、花柄が透光性塗料により塗装され、その他の部分（背景部分）が遮光性塗料により塗装される。この場合、取付基板４１が後方から投光されると、前方から見ると花柄のみが光ることとなる。
【００３５】
上入賞口４４は、遊技球が入賞すると、前記賞球払出装置によって所定数の賞球を払い出させるとともに、始動口として図示せぬ抽選装置によって大当たり抽選を開始させる部材である。上入賞口４４は、上面が開口するポケット状に形成されて、取付基板４１の前面に支持される。上入賞口４４の後端部は、背面視で上方向へ開放する略Ｕ字状に形成されて、取付基板４１の上入賞切欠部４２の周縁部に一体的に固着される。
【００３６】
可変入賞口４５は、左右一対の可動片４６を有し、予め設定された作動条件を満たすと、当該左右一対の可動片４６の動作に応じて、遊技球が入賞可能な開放状態又は入賞不能な閉鎖状態に変わり（作動し）、当該可変入賞口４５に遊技球が入賞すると、前記賞球払出装置によって所定数の賞球を払い出させるとともに、始動口として図示せぬ抽選装置によって大当たり抽選を開始させる部材である。
左右一対の可動片４６は、図３に示すように、可変入賞切欠部４３を挟んでその左右両側に互いに対向して配置され、所謂チューリップ状に構成される。左右一対の可動片４６は、当該左右一対の可動片４６の後面下部からそれぞれ後方へ向けて突設される図示せぬ軸支ピンによって、取付基板４１に左右方向へ回動可能に軸支される。
また、図４（ｂ）に示すように、左右一対の可動片４６の後面下部であって前記軸支ピンの内側には、係合ピン４９が後方へ向けて突設される。係合ピン４９の後端部は、可変入賞切欠部４３を介して取付基板４１の後方まで突出されている。
左右一対の可動片４６の下方には、可変入賞口４５の底部となる床板４７が設けられる。床板４７は、板状の部材が板面を上下方向へ向けた状態で、取付基板４１の前面から前方へ向けて突出され、可変入賞切欠部４３の下側辺縁部に一体的に固着される。床板４７の前端面には、可変入賞口４５の前側面となる前飾り４８が固着される。
【００３７】
このような構成において、左右一対の可動片４６は、係合ピン４９を上下方向へ移動させることによって、前記軸支ピンを中心として左右方向へ回動する。
図４（ａ）に示すように、左右一対の可動片４６（即ち、可変入賞口４５）が閉鎖状態（左右一対の可動片４６がそれぞれの内側面を略平行に対向させた状態）である場合、左右一対の可動片４６のそれぞれの上端部と、上入賞口４４の下端部との間隙の幅は、遊技球の直径よりも小さく設定される。この場合、遊技球は左右一対の可動片４６及び上入賞口４４と干渉するため、可変入賞口４５に入賞することができない。
他方、図４（ｂ）に示すように、左右一対の可動片４６（即ち、可変入賞口４５）が開放状態（左右一対の可動片がそれぞれの内側面を略扇状に広げた状態）である場合、左右一対の可動片４６のそれぞれの上端部と、上入賞口４４の下端部との間隙の幅は、遊技球の直径よりも大きく設定される。この場合、遊技球は左右一対の可動片４６及び上入賞口４４と干渉せず、可変入賞口４５に入賞することができる。
【００３８】
駆動手段５０は、左右一対の可動片４６を駆動させるものである。駆動手段５０は、前後方向へ往復動可能に設けられるプランジャ５１と、プランジャ５１を前方へ向けて付勢するスプリング５２と、プランジャ５１を後方へ向けて吸引可能なソレノイド５３とを備える。駆動手段５０は、取付基板４１の後方に配置され、後述の支持部材６８（さらに詳しくは、駆動手段支持部７１）によって取付基板４１に支持される。
駆動手段５０は、ソレノイド５３が非通電時には、プランジャ５１がスプリング５２の付勢力によって前方へ向けて移動し、ソレノイド５３が通電時には、ソレノイド５３の吸引力によりプランジャ５１がスプリング５２の付勢力に抗して後方へ向けて移動するように構成される。
【００３９】
駆動伝達部５４は、図４に示すように、左右一対の可動片４６と駆動手段５０とを作動連結して、駆動手段５０の駆動力を可変入賞口４５の左右一対の可動片４６に伝達するものである。駆動伝達部５４は、取付基板４１の後方に配置され、後述の支持部材６８（さらに詳しくは、駆動伝達支持部７２）によって、取付基板４１に支持される。駆動伝達部５４は、スライド部材５５と、角変位部材５６とを備える。
【００４０】
スライド部材５５は、平面視で略Ｕ字状に形成されて、開口する側を前方へ向けて配置される。スライド部材５５は、支持部材６８の内部に、前後方向に往復動可能に設けられる。スライド部材５５の後端部には、被係合部５８が設けられる。被係合部５８には、駆動手段５０のプランジャ５１の前端部が係合される。スライド部材５５の前端部には、左右一対のスライド開口部５７が、上下方向へ開口される。
【００４１】
角変位部材５６は、左右一対の係合軸支部５９と、左右一対のアーム部６０とを備える。左右一対の係合軸支部５９は、それぞれ上下方向に長い略直方体形状に形成される。左右一対の係合軸支部５９の上端部には、突起部６１が形成される。突起部６１は、スライド部材５５の左右一対のスライド開口部５７と係合される。左右一対の係合軸支部５９には、それぞれ外側方へ向けて変位軸６２が突設される。左右一対の係合軸支部５９は、支持部材６８の内部で変位軸６２を介して、前後方向へ回動可能に軸支される。
左右一対の係合軸支部５９の前端部からは、アーム状に形成される左右一対のアーム部６０が前下方へ向けて延設される。左右一対のアーム部６０の前端部には、側面視で略Ｃ字状に形成される鉤部６３が、開口する側を前方へ向けて設けられる。鉤部６３には、左右一対の可動片４６の係合ピン４９が係合される。
【００４２】
このような構成の駆動伝達部５４においては、図４（ｂ）に示すように、駆動手段５０が駆動してプランジャ５１が吸引されて後方へ向けて移動すると、その移動に応じてスライド部材５５が後方へ向けて移動する。そして、スライド部材５５のスライド開口部５７に係合された突起部６１を介して、角変位部材５６が左右一対のアーム部６０とともに後方へ回動する。その結果、左右一対のアーム部６０の鉤部６３に係合された左右一対の可動片４６の係合ピン４９が上方へ向けて移動し、左右一対の可動片４６が前記軸支ピンを中心として開放状態となるように相互に回動する。
他方、図４（ａ）に示すように、プランジャ５１がスプリング５２の付勢力によって前方へ向けて移動すると、その移動に応じてスライド部材５５が前方へ向けて移動する。そして、スライド部材５５のスライド開口部５７に係合された突起部６１を介して、角変位部材５６が左右一対のアーム部６０とともに前方へ回動する。その結果、左右一対のアーム部６０が、鉤部６３に係合された係合ピン４９を下方へ向けて移動させ、左右一対の可動片４６が前記軸支ピンを中心として閉鎖状態となるように相互に回動する。
【００４３】
磁気センサ６４は、磁石を用いた不正行為が行われた場合に、磁石の磁気を感知する部材である。磁気センサ６４は、取付基板４１の後方に配置され、後述の支持部材６８（さらに詳しくは、磁気センサ保持部７３）によって保持される。磁気センサ６４としては、リードスイッチが用いられる。リードスイッチは、図９に示すように、一対の磁性体リード片６５と、その一対の磁性体リード片６５を収納する磁気センサ筐体６６とを備える。
【００４４】
このような構成の磁気センサ６４において、磁石が磁気センサ６４の感知範囲に入っていないとき（通常時）には、図９（ａ）に示すように、一対の磁性体リード片６５が離間し、磁気センサ６４はオフ状態となって、磁気を感知しない。また、磁石が磁気センサ６４の感知範囲に入ったとき（磁気感知時）には、図９（ｂ）に示すように、一対の磁性体リード片６５が磁化されて相互に接触し、磁気センサ６４はオン状態となって、磁気を感知する。
なお、磁気センサ６４の数は、本実施形態においては２個であるが、これに限定されるものではなく、例えば、１個でも４個であってもよい。
【００４５】
支持部材６８は、取付基板４１の後方に配置され、駆動手段５０や駆動伝達部５４を支持するとともに、磁気センサ６４を保持する部材である。支持部材６８は、支持筐体６９と、駆動手段支持部７１と、駆動伝達支持部７２と、磁気センサ保持部７３と、電飾基板７８とを備える。
【００４６】
支持筐体６９は、支持部材６８の主たる構造体となる部材である。支持筐体６９は、前後面が開口される略四角筒状に形成される。図５（ｂ）に示すように、支持筐体６９の前端面には、開口された周縁部に沿って、環状のリブ７０が前方へ向けて突設される。支持筐体６９は、リブ７０の前端部を取付基板４１の後面に当接させて固定し、当該取付基板４１の後面に支持される。
【００４７】
駆動手段支持部７１は、駆動手段５０を支持する部材である。駆動手段支持部７１は、上面が開口された略箱状に形成される。駆動手段支持部７１は、支持筐体６９の後端面にネジ等の締結部材により締結固定されることによって、支持筐体６９（即ち、支持部材６８）の後端面に支持される。駆動手段支持部７１の内部には、ソレノイド５３が収納される。駆動手段支持部７１の前面は前後方向へ開口されて、プランジャ５１がソレノイド５３から前方へ向けてその開口部を介して突出される。プランジャ５１は、支持筐体６９の内部へ挿入され、スプリング５２に嵌挿される。
【００４８】
駆動伝達支持部７２は、駆動伝達部５４を支持する部材である。図６（ｂ）に示すように、駆動伝達支持部７２は、略四角筒状に形成される支持筐体６９の内部により構成される。駆動伝達支持部７２には、駆動伝達部５４のスライド部材５５が、前後方向へ往復動可能に支持される。また、駆動伝達支持部７２には、角変位部材５６が前後方向に回動可能に軸支される。
【００４９】
磁気センサ保持部７３は、支持筐体６９の外側方で着脱可能に磁気センサ６４を保持する部材である。
なお、本実施形態において磁気センサ６４は２個設けられ、磁気センサ保持部７３は支持筐体６９の左右両側方にそれぞれ設けられる。左右の磁気センサ保持部７３は、略同一の構成であるので、以下においては、右側の磁気センサ保持部７３のみについて説明する。左側の磁気センサ保持部７３については、右側の磁気センサ保持部７３と同一構成の部材に関して、同一の符号を付すことでその説明を省略する。
【００５０】
磁気センサ保持部７３は、支持台７４と、後方係止片７５と、上方係止片７６と、側方係止片７７とを備える。
支持台７４は、支持筐体６９の右側面に連設されて、背面視で略Ｌ字状に形成される。具体的には、支持台７４は、二つの略長板状の部材をそれぞれの長手方向を前後方向として配置したうえで、一方の略長板状の部材を支持筐体６９の右側面から右側方へ向けて延出し、他方の略長板状の部材を一方の略長板状の部材の延出端部から上方へ向けて延出して形成される。支持台７４の前端面は、支持筐体６９の前端面と左右方向に連設され、後述の電飾基板７８の後面と当接される。
後方係止片７５は、支持台７４の後端部に内側（左側方）へ向かって突出するように設けられる。後方係止片７５は、磁気センサ６４の後端部に着脱可能に係止される。
上方係止片７６は、支持筐体６９の上部から右側方へ向けて突設されている誘導樋９０の下面に下方へ向けて突出するように設けられる。上方係止片７６は、磁気センサ６４の上面を下方へ向けて押圧することで、当該磁気センサ６４を係止する。
側方係止片７７は、前記誘導樋９０の先端部（右端部）の下面に下方へ向かって突出するように設けられる。側方係止片７７は、背面視で略Ｌ字状に形成される支持台７４の開口側から磁気センサ６４が脱落するのを防止するために、磁気センサ６４を右側方から係止する。
このような構成により、磁気センサ保持部７３は、磁気センサ６４を、支持台７４の上に長手方向を前後方向として載置して、後方係止片７５と、上方係止片７６と、側方係止片７７とにより係止して、当該磁気センサ６４を保持することができる。
【００５１】
また、磁気センサ保持部７３は、支持台７４、後方係止片７５、上方係止片７６及び側方係止片７７のいずれか一つ又は全部と、磁気センサ６４との間に、磁気センサ保持部７３が磁気センサ６４を保持するためには必要がない余分な間隙（即ち、その隙間がない状態であっても、磁気センサ保持部７３は、磁気センサ６４を保持することが可能である。）を設ける構成とすることができる。前記間隙は、磁気センサ保持部７３から磁気センサ６４が脱落しない範囲内で設けられる。
このような構成により、例えば、遊技球が上入賞口４４から後述する裏樋８０に向けて誘導樋９０を流れるとき、遊技球が誘導樋９０の壁部分（両側壁部９４）に衝突して振動が発生し、支持部材６８及び磁気センサ保持部７３にその振動が伝達されたとしても、前記間隙によって、当該支持部材６８及び当該磁気センサ保持部７３の振動が磁気センサ６４に直接伝達されない。換言すれば、前記間隙は、支持部材６８及び磁気センサ保持部７３の振動を吸収することができる。したがって、磁気センサ６４が振動することを抑制して、磁気センサ６４の前記一対の磁性体リード片６５が相互に接触することを防止する。その結果、磁気センサ６４の誤感知を防止することができる。
【００５２】
さらに、磁気センサ保持部７３は、前記隙間に防振部材を設ける構成とすることができる。具体的には、磁気センサ保持部７３に、支持台７４、後方係止片７５、上方係止片７６及び側方係止片７７のいずれか一つ又は全部と、磁気センサ６４との間に防振部材、例えばゴム等の弾性部材により形成された防振シートが介装される。
このような構成により、支持部材６８及び磁気センサ保持部７３が振動したとしても、前記防振部材により、その振動を吸収することができる。したがって、磁気センサ６４が振動することを抑制して、磁気センサ６４の前記一対の磁性体リード片６５が相互に接触することを防止する。その結果、磁気センサ６４の誤感知を防止することができる。
【００５３】
電飾基板７８は、取付基板４１を後方から投光するための基板である。電飾基板７８は、支持筐体６９の前端面に当該電飾基板７８の後面を当接させた状態で固定される。前述したように、取付基板４１は、支持筐体６９の前端面に、リブ７０を介して配置される。即ち、電飾基板７８は、取付基板４１の後方に、リブ７０の前後方向の長さを隔てて、当該取付基板４１と略平行となるように並設される。電飾基板７８の前面には、複数のＬＥＤ等の光源６７が前方へ向けて投光するように配設される。これによって、取付基板４１が後方から投光される。
【００５４】
また、電飾基板７８において、磁気センサ保持部７３の前方に当たる部分には、電飾基板開口部７９が前後方向へ開口される。磁気センサ６４は、電飾基板開口部７９に貫装された状態で、磁気センサ保持部７３に保持される。磁気センサ６４の前端部は、取付基板４１の後面に略接するように構成される。
このような構成により、磁気センサ６４の配置場所は、電飾基板７８に電飾基板開口部７９が設けられない場合と比べて前方に（ガラス窓８との距離を近くに）配置することが可能となる。したがって、不正行為が行われる場合、ガラス窓８の前方で使用される磁石と磁気センサ６４との距離を短くすることができるので、磁気センサ６４による磁石の磁気の感知をより確実とすることができる。その結果、磁石を用いた不正行為の防止を図ることができる。
【００５５】
誘導樋９０は、支持筐体６９の上部に配設される。誘導樋９０は、上入賞口４４に入賞した遊技球を裏樋へ向けて誘導する部材である。誘導樋９０は、平面視で略Ｌ字状に形成される。即ち、誘導樋９０は、上入賞口４４に入賞した遊技球が、まず後方へ向けて流れ、その後、右側方へ向けて流れるように構成される。なお、誘導樋９０についての詳細な説明は後述する。
【００５６】
次に、裏樋８０の構成について、図１０及び図１１を用いて詳細に説明する。
【００５７】
裏樋８０は、一般入賞口２４や上入賞口４４等の各入賞口に入賞した遊技球を遊技盤２０の後側で、回収領域へ向けて案内する部材である。図１０に示すように、裏樋８０は、左右方向に長いケース状に形成されて、遊技盤２０の後面下部に取り付けられる。裏樋８０には、可変入賞装置４０を挿入するために開口された可変入賞開口部８４等の種々の開口部が、前後方向へ開口される。
【００５８】
図１１に示すように、裏樋８０には、一般入賞口２４や上入賞口４４等の各入賞口に入賞した遊技球を、回収領域へ向けて案内するための通路となる複数の樋部が設けられる。各樋部は、裏樋８０の内部で、当該裏樋８０の上部から下方へ向けて曲折しながら延設されて、当該樋部に流入した遊技球が自重によって下方へ向けて落下するよう構成される。
例えば、各樋部のうち、一般入賞口２４に入賞した遊技球を回収領域へ向けて誘導する複数の樋部８１の上端部は、裏樋８０の前側面で前方へ向けて開口される。各樋部８１の下端部は、裏樋８０の下側面で下方（即ち、回収領域）へ向けて開口される。
このような構成において、各入賞口に入賞した遊技球は、対応する各樋部にその上端部から流入して下方へ向けて落下した後、下端部から回収領域へ向けて排出される。
【００５９】
次に、各樋部のうち、上入賞口４４に入賞した遊技球を回収領域へ向けて案内するための樋部である、上入賞樋部８２の構成について、さらに詳細に説明する。
【００６０】
上入賞樋部８２は、上入賞口４４に入賞した遊技球が流入可能に構成される。
上入賞口４４は、前述したように可変入賞装置４０に設けられている。図１１に示すように、可変入賞装置４０は、裏樋８０の前側面に開口された可変入賞開口部８４を介して、当該可変入賞装置４０の後部、即ち、取付基板４１の後方に支持される各部材を、裏樋８０の内部に挿入する。上入賞口４４に入賞した遊技球は、支持部材６８の上部に配設された誘導樋９０を流れて、裏樋８０（さらに詳しくは、上入賞樋部８２）へ向けて誘導される。
【００６１】
図５（ａ）に示すように、誘導樋９０は、平面視で略Ｌ字状に、即ち、まず後方へ向けて延出し、その延出端部から右側方へ向けて延出するように形成される。誘導樋９０は、先端部を右側方へ向けて配置される。したがって、図７及び図８に示すように、誘導樋９０から遊技球が受け渡される上入賞樋部８２は、先端部（遊技球が流入される側）を左側方へ向けて配置して、誘導樋９０の先端部と上入賞樋部８２の先端部とが互いに対向して近接するように構成される。
【００６２】
このような構成において、上入賞口４４に入賞した遊技球は、誘導樋９０を介して右側方へ向けて流れ、上入賞樋部８２に流入する。上入賞樋部８２に流入した遊技球は、この上入賞樋部８２に案内されながら下方へ向けて落下した後、裏樋８０の下側面側から回収領域へ向けて排出される。
また、上入賞樋部８２には、補助壁１００が設けられる。補助壁１００は、上入賞樋部８２の先端部から、後述する誘導樋９０の後側壁部９４ｂの上方へと延出される。なお、補助壁１００についての詳細な説明は後述する。
【００６３】
次に、誘導樋９０から上入賞樋部８２への構成について、図３から図８、及び図１２を用いて、さらに詳細に説明する。
【００６４】
まず、誘導樋９０の構成について、さらに詳細に説明する。
誘導樋９０は、第一誘導樋９１と、第二誘導樋９２とを備える。
【００６５】
第一誘導樋９１は、上入賞口４４に入賞した遊技球を後方へ向けて案内して第二誘導樋９２に誘導する部材である（以下の説明において、誘導樋９０によって裏樋８０へ向けて誘導される遊技球を「遊技球α」と称する（図１２参照）。）。図３に示すように、第一誘導樋９１は、支持筐体６９の前上部に設けられる。第一誘導樋９１は、底部と、左右の両側壁部とを有し、前後方向に開口する略円筒状部材を上方向に開放して形成される。つまり、正面断面視では、第一誘導樋９１は上方向に開放する略Ｕ字状に形成される。第一誘導樋９１は、その前端部で上入賞口４４の上入賞切欠部４２の後端部と連結され、その連結部から後方へ向けて一直線状に延出されて、その後端部で第二誘導樋９２と連結される。そして、第一誘導樋９１の前端部が上入賞切欠部４２と連通され、第一誘導樋９１の後端部が第二誘導樋９２と連通される。
【００６６】
第一誘導樋９１において、前記底部は、その上面、即ち、遊技球αが流れる床面が正面視で下方向に凸状に湾曲する湾曲面となり、その後側の最下位置の高さがその前側の最下位置の高さよりも低くなるように形成される。こうして、第一誘導樋９１は、上入賞口４４の上入賞切欠部４２からの遊技球αが、両側壁部で案内されながら、底部上を後方へ向けて流れ落ちるように構成される。
なお、図７に示すように、第一誘導樋９１は、可変入賞装置４０が遊技盤２０に取り付けられた状態で、遊技盤２０の基体２１の内部に配置される。即ち、第一誘導樋９１は、遊技盤２０の前面（上入賞口４４）に入賞した遊技球αを、遊技盤２０の後面に誘導する部材となっている。
【００６７】
第二誘導樋９２は、第一誘導樋９１からの遊技球αを右方へ向けて案内して裏樋８０に誘導する部材である。第二誘導樋９２は、支持筐体６９の右上部に設けられて、磁気センサ保持部７３の上方を通過するように配置される。第二誘導樋９２は、底部９３と、前後の両側壁部９４とを有し、右方向に開口する有底の略四角筒状部材を上方向に開放するとともに、左端部前側で前方向に開口して形成される。つまり、側面断面視では、第二誘導樋９２は上方向に開放する略凹状に形成される。第二誘導樋９２は、その左端部で第一誘導樋９１の後端部と連結され、その連結部から右方へ向けて一直線状に延出されて、その右端部で右側方へ向けて開放される。そして、第二誘導樋９２の左端部が第一誘導樋９１と連通され、第二誘導樋９２の右端部が上入賞樋部８２と連通される。
【００６８】
第二誘導樋９２において、底部９３は、長手方向を左右方向とする平面視で略矩形板状の部分であり、その上面、即ち、遊技球αが流れる床面が平面となるように形成される。この底部９３の床面においては、その右側の最下位置の高さがその左側の最下位置の高さよりも低く設定される。底部９３は、支持筐体６９の右側部に設けられる磁気センサ保持部７３の上方を横断して通過するように配置され、支持筐体６９の上側面に設けられる。
【００６９】
前後の両側壁部９４（以下の説明においては、前側の両側壁部９４を「前側壁部９４ａ」、後側の両側壁部９４を「後側壁部９４ｂ」と称する。）は、長手方向を左右方向として底部９３と同一の左右幅を有する略矩板状の部分であり、第一誘導樋９１の左右の両側壁部と連結する部分を除いて、互いに同一形状に形成される。両側壁部９４のうち、一方の前側壁部９４ａが底部９３の前縁部から上方へ向かって垂設され、他方の後側壁部９４ｂが底部９３の後縁部から上方へ向かって垂設されて、所定の前後幅を隔てて前後に対向して配置される。
【００７０】
ここで、前側壁部９４ａと後側壁部９４ｂとの内周面間の前後幅は、遊技球αが第二誘導樋９２内を流れるように、遊技球αの直径Ｄ１よりも若干長く設定される。また、前後の各側壁部９４ａ・９４ｂの高さ、即ち、底部９３の床面からの高さは、第二誘導樋９２を流れる遊技球αが両側壁部９４を乗り越えて脱落しないように、遊技球αの半径よりも高くなるように設定される。ただし、後述の切欠部９５の少なくとも一部の高さは、遊技球αの半径よりも低くなるように設定される。
【００７１】
そして、前側壁部９４ａの左側に、上方向に開放する切欠部９６が第一誘導樋９１の内周面の略Ｕ字形状に沿って形成される。この切欠部９６が第一誘導樋９１の後端部と連結されて、第二誘導樋９２内が第一誘導樋９１内と連通される。
【００７２】
また、前後の各側壁部９４ａ・９４ｂの右上の角部が切り欠かれて、前後の各側壁部９４ａ・９４ｂの右側に切欠部９５が形成される。各側壁部９４ａ・９４ｂにおいて、切欠部９５は、その高さ（上縁の高さ位置）が左側から右側に向かうに従って、即ち、第二誘導樋９２における遊技球αが流れる方向へ向かって徐々に低くなるように、言い換えれば、その上縁が左側から右側に向かうに従って徐々に底部９３の床面に近づくように形成される。本実施形態においては、図６（ｂ）に示すように、切欠部９５の上縁は、正面視で右上方向に凸状に緩やかに湾曲する形状となっている。この切欠部９５は、磁気センサ保持部７３の真上に配置される。
【００７３】
ここで、前後の各側壁部９４ａ・９４ｂにおける切欠部９５の高さ、即ち、底部９３の床面からの高さは、図１２に示すように、切欠部９５の左右中途部に設定された位置Ｐ１を境にしてその左側では、第二誘導樋９２を流れる遊技球αが両側壁部９４を乗り越えて脱落しないように、遊技球αの半径よりも高くなるように設定される（図１２（ｂ）参照）。一方、この高さは、位置Ｐ１の右側では、第二誘導樋９２を流れる遊技球αが最大直径部分で両側壁部９４に衝突しないように、遊技球αの半径よりも低くなるように設定される（図１２（ｃ）参照）。これにより、切欠部９５の右側では、第二誘導樋９２の両側壁部９４の上縁が誘導樋９０を流れる遊技球αの半径高さ位置よりも低いところに位置することとなる。
【００７４】
なお、パチンコ遊技機１においては、前述したように、支持部材６８の後方に駆動手段５０が配置されている。そのため、支持部材６８の支持筐体６９の上部に設けられる第二誘導樋９２が、遊技球を遊技盤２０の後面に取り付けられた裏樋８０へ誘導するためには、第二誘導樋９２によって、左右一側へ遊技球αを誘導する必要がある。また、磁気センサ保持部７３は、支持部材６８の支持筐体６９の左右両側面に長手方向を前後方向として連設されている。磁気センサ保持部７３の前端面は、支持筐体６９の前端面と左右方向に連設され、後端面は支持筐体６９の後端面の略左右方向に配置されている。その結果、第二誘導樋９２は、磁気センサ保持部７３の上方を横断して通過するように配置されることとなる。
【００７５】
次に、補助壁１００の構成について、図８及び図１２を用いて詳細に説明する。
【００７６】
補助壁１００は、前後の各側壁部９４ａ・９４ｂのそれぞれ切欠部９５がある右側の高さを所定の高さに補助する部材である。ここで、前記「所定の高さ」とは、第二誘導樋９２を流れる遊技球が、当該第二誘導樋９２を乗り越えて脱落しない程度の高さのことを指すものである。即ち、補助壁１００は、切欠部９５の真上に配置された状態で、切欠部９５と当該補助壁１００とを合わせた高さが、第二誘導樋９２を流れる遊技球αが当該第二誘導樋９２から脱落することを防止可能な高さとなるように設けられる。
なお、本実施形態においては、切欠部９５と補助壁１００とを合わせた高さが、第二誘導樋９２を流れる遊技球αの半径の高さよりも高くなるように構成されているが、これに限定されるものではない。即ち、切欠部９５と補助壁１００とを合わせた高さが第二誘導樋９２を流れる遊技球αの半径の高さより低くても、前述したように第二誘導樋９２を流れる遊技球αが当該第二誘導樋９２を乗り越えて脱落しない程度の高さであればよい。
また、本実施形態においては、補助壁１００は、切欠部９５の真上に配置されるように構成されているが、これに限定されるものではない。即ち、補助壁１００は、切欠部９５の真上から前後方向にずれて配置されていても、切欠部９５と当該補助壁１００とを合わせた高さが、第二誘導樋９２を流れる遊技球αが当該第二誘導樋９２から脱落することを防止可能な高さであって、且つ補助壁１００は、切欠部９５の真上から前後方向にずれて配置されていても、磁気センサ保持部７３の真上で両側壁部９４ではなく、補助壁１００と衝突するような位置であればよい。
【００７７】
まず、前後の各側壁部９４ａ・９４ｂのうち、後側壁部９４ｂの切欠部９５の高さを補助する後側補助壁１００ｂについて説明する。
後側補助壁１００ｂは、長手方向を左右方向とした板状の部材である。後側補助壁１００ｂは、裏樋８０に設けられて、裏樋８０における上入賞樋部８２の後部の左側端部から左側方へ向けて延出される。後側補助壁１００ｂは、第二誘導樋９２の後側壁部９４ｂの直上方で、当該後側壁部９４ｂと、特にその切欠部９５と対向して配置される。
【００７８】
後側補助壁１００ｂの下縁のうち、切欠部９５と対向する部分は切欠部９５の上縁に沿った形状に形成される。後側補助壁１００ｂは、その下縁が左側から右側に向かうに従って徐々に下方に向かうように形成される。本実施形態においては、図８に示すように、後側補助壁１００ｂの下縁は、正面視で右下がりの略一直線状に傾斜する形状となっている。こうして、この対向部分においては、後側補助壁１００ｂの下縁と切欠部９５の上縁との間に、所定幅を有する間隙が設けられる。この所定の間隙は、後側補助壁１００ｂの下縁と切欠部９５の上縁とが接触しない範囲で、極力短く設定するのが好ましい。
【００７９】
次に、前後の各側壁部９４ａ・９４ｂのうち、前側壁部９４ａの切欠部９５の高さを補助する前側補助壁１００ａについて説明する。
本実施形態においては、前側補助壁１００ａとして、遊技盤２０の基体２１の一部が用いられている。即ち、基体２１の可変入賞装置取付口２８に可変入賞装置４０が取り付けられると、前述したように、誘導樋９０のうち、第一誘導樋９１が、当該基体２１の内部に配置される。そして、第一誘導樋９１の後端部に連結されて右側方へ延出される第二誘導樋９２は、基体２１の後方に、当該基体２１の後面と略接するように平行に並設される。また、基体２１の可変入賞装置取付口２８は、正面視で取付基板４１と略同一形状の左右方向に長い略菱形に開口される。その開口縁の右上側は、正面視で左側から右側に向かうに従って徐々に下方へ向かうように形成され、言い換えれば、第二誘導樋９２の前側壁部９４ａの直上方で、当該前側壁部９４ａと、特にその切欠部９５と対向して配置される。こうして、この対向部分においては、可変入賞装置取付口２８の開口縁の右上側と、切欠部９５の上縁との間に、所定幅を有する間隙が設けられる。この所定の間隙は、可変入賞装置取付口２８と切欠部９５の上縁とが接触しない範囲で、極力短く設定するのが好ましい。
【００８０】
つまり、本実施形態においては、後側補助壁１００ｂが第二誘導樋９２の後側壁部９４ｂの高さ（特に、切欠部９５の高さ）を所定の高さに補助するようになっている。また、遊技盤２０の基体２１の一部が前側補助壁１００ａとして第二誘導樋９２の前側壁部９４ａの高さ（特に、切欠部９５の高さ）を所定の高さに補助するようになっている。
なお、この構成は限定するものではなく、例えば、前側補助壁１００ａ、即ち、遊技盤２０の基体２１の一部の代わりに、裏樋８０に別途設けた補助壁を用いて、第二誘導樋９２の前側壁部９４ａの高さを所定の高さに補助するようにしてもよい。
【００８１】
このような構成により、図１２（ａ）及び（ｂ）に示すように、遊技球αが誘導樋９０を下流側に向かって流れる場合に、第一誘導樋９１から流れ出て第二誘導樋９２の切欠部９５の左右中途部にある位置Ｐ１に達するまでは、第二誘導樋９２の両側壁部９４の高さＨ１が遊技球αの半径の高さＲ１よりも高く設定されていることから、この遊技球αはその最大直径部分を両側壁部９４（切欠部９５）に衝突させながら床面上を流れることとなる。
【００８２】
一方、遊技球αが位置Ｐ１を越えたときには、第二誘導樋９２の両側壁部９４の高さＨ２は、遊技球αの半径の高さＲ１よりも低くなるように設定されていることから、この遊技球αはその最大直径部分を補助壁１００（後側補助壁１００ｂ及び前側補助壁１００ａ（遊技盤２０の基体２１））に衝突させながら床面上を流れることとなる。
なお、切欠部９５と補助壁１００とを合わせた高さが第二誘導樋９２を流れる遊技球αの半径の高さより低い場合には、遊技球αは、その最大直径部分より下側で、補助壁１００である後側補助壁１００ｂ及び前側補助壁１００ａの上端部に衝突されながら床面上を流れることとなる。
【００８３】
以上のように、本発明の一実施形態に係るパチンコ遊技機１においては、第二誘導樋９２を流れる遊技球αが、磁気センサ保持部７３の真上で、両側壁部９４（切欠部９５）ではなく、補助壁１００（若しくは、遊技盤２０の基体２１）と衝突するため、遊技球αと補助壁１００とが衝突することによって発生した振動は、裏樋８０に伝達されることとなる。つまり、この振動は、支持部材６８及び磁気センサ保持部７３には伝達され難くなり、ひいては磁気センサ保持部７３に保持された磁気センサ６４にも伝達され難くなる。したがって、遊技球αが両側壁部に衝突した際に発生する振動による磁気センサの誤感知を防止することができる。
【００８４】
つまり、次のような問題を解消することができる。仮に、前述のような構成において、第二誘導樋９２の両側壁部９４に切欠部９５がない場合、即ち、前後の各側壁部９４ａ・９４ｂの右上の角部が切り欠かれていない場合、第二誘導樋９２を流れる遊技球αは、磁気センサ保持部７３の真上で、両側壁部９４と衝突しながら裏樋８０（さらに詳しくは、上入賞樋部８２）へ向けて底部９３の床面上を流れることとなる。そのため、遊技球αが両側壁部９４に衝突して発生した振動が、支持筐体６９（支持部材６８）及び磁気センサ保持部７３に伝達され、ひいては磁気センサ６４に伝達されることとなる。これにより、磁気を感知していない場合でも、磁気センサ６４が振動する。その結果、図７（ｂ）に示すように、一対の磁性体リード片６５が振動して互いに接触し、磁気センサ６４がオン状態となって、磁気を感知したと誤感知する問題があった。
【００８５】
次に、両側壁部９４と補助壁１００との間に設けられた間隙について、さらに詳細に説明する。
以下においては、（基体２１の）可変入賞装置取付口２８の開口縁の右上側と、前側壁部９４ａの切欠部９５の上縁との間に設けられた間隙について説明する。
なお、後側補助壁１００ｂの下縁と、後側壁部９４ｂの切欠部９５の上縁との間に所定幅を有して設けられた間隙の構成については、可変入賞装置取付口２８の開口縁の右上側と、前側壁部９４ａの切欠部９５の上縁との間に設けられた間隙の構成と略同一であるので、その説明を省略する。
【００８６】
本実施形態において、（基体２１の）可変入賞装置取付口２８の開口縁の右上側と、前側壁部９４ａの切欠部９５の上縁との間に所定幅を有して設けられた間隙は、図１２（ａ）に示すように、当該前側壁部９４ａの上側における幅Ｘよりも、下側における幅Ｙの方が広くなるように形成される。言い換えれば、前側壁部９４ａの左側から右側へ向かうに従って、可変入賞装置取付口２８の開口縁の右上側と、当該前側壁部９４ａの切欠部９５の上縁との間に設けられた間隙の幅が広くなるように形成される。
【００８７】
このような構成により、前側壁部９４ａの右側においては、可変入賞装置取付口２８の開口縁の右上側と、当該前側壁部９４ａの切欠部９５の上縁との間に設けられた間隙の幅が広くなっているので、例えば、遊技盤２０に取り付けられた可変入賞装置４０が、長期間の使用により当該遊技盤２０（又は裏樋８０）に対して歪みが生じた場合であっても、特に磁気センサ保持部７３の上方に配置される部分については、可変入賞装置取付口２８の開口縁の右上側と、前側壁部９４ａの切欠部９５の上縁とが接触し難くすることができる。したがって、その接触によって振動が支持部材６８及び磁気センサ保持部７３に伝達されることを防止することができる。
他方、前側壁部９４ａの（切欠部９５の）左側（即ち、磁気センサ保持部７３から離間した場所）においては、可変入賞装置取付口２８の開口縁の右上側と、当該前側壁部９４ａの切欠部９５の上縁との間に設けられた間隙の幅が狭くなっているので、前側壁部９４ａから前側補助壁１００ａ、即ち、第二誘導樋９２から上入賞樋部８２への遊技球αの誘導を円滑に（上入賞樋部８２へ流入する際の振動を小さく）行うことができる。
【００８８】
また、本実施形態において、図１２（ａ）に示すように、前側壁部９４ａの切欠部９５は、左側から右側へ向かうに従って徐々に下方へ向かうように（傾斜されて）形成される。また、前側補助壁１００ａは、左側から右側に向かうに従って徐々に下方へ向かうように（傾斜されて）形成される。
【００８９】
このような構成により、遊技球αが、前側壁部９４ａと前側補助壁１００ａとの間に設けられた間隙を通過する際に、前記傾斜に沿って流れることができる。したがって、例えば、遊技球αが流入する側である前側補助壁１００ａの左側端部が上下方向に（即ち、傾斜されずに）形成されている場合よりも、前側壁部９４ａから前側補助壁１００ａ、即ち、第二誘導樋９２から上入賞樋部８２への遊技球αの誘導を円滑に（上入賞樋部８２へ流入する際の振動を小さく）行うことができる。
【符号の説明】
【００９０】
１：パチンコ遊技機，２０：遊技盤，２８：可変入賞装置取付口，２９：遊技領域，４４：上入賞口，４５：可変入賞口，４６：左右一対の可動片，５０：駆動手段，５４：駆動伝達部，６４：磁気センサ，６８：支持部材，７１：駆動手段支持部，７２：駆動伝達支持部，７３：磁気センサ保持部，８０：裏樋，８２：上入賞樋部，９０：誘導樋，９１：第一誘導樋，９２：第二誘導樋，９３：底部，９４：両側壁部，９４ａ：前側壁部，９４ｂ：後側壁部，９５：切欠部，１００：補助壁，１００ａ：前側補助壁，１００ｂ：後側補助壁，α：遊技球
【図１】
2011083553.tif 000003
【図２】
2011083553.tif 000004
【図３】
2011083553.tif 000005
【図４】
2011083553.tif 000006
【図５】
2011083553.tif 000007
【図６】
2011083553.tif 000008
【図７】
2011083553.tif 000009
【図８】
2011083553.tif 000010
【図９】
2011083553.tif 000011
【図１０】
2011083553.tif 000012
【図１１】
2011083553.tif 000013
【図１２】
2011083553.tif 000014